(57)【要約】【課題】製品の連続動作を視覚的に再現可能であり、且つ簡単な操作で上記再現が可能であると共に、別途説明書き等の文字を記載可能なスペースを確保できる冊子状のディスプレイ装置を提供する【解決手段】  一端部に開口部を有する薄型袋状部と、上記薄型袋状部上に設けられたディスプレイ部とを備え、上記ディスプレイ部は、上記薄型袋状部を形成する表面側部材上に固定され、複数のページを有する冊子部と、一端部が上記冊子部の綴じ代側端部に接合されて上記薄型袋状部内にスライド可能に収納され、他端部が上記開口部から外方へ引き出し可能に配設された引き出し片部とを有し、上記引き出し片部を上記開口部から外方へ引き出すことにより上記冊子部の複数のページを順次めくるように構成されている。【選択図】図１
0003132570.tif 000002
【実用新案登録請求の範囲】
【請求項１】
一端部に開口部を有する薄型袋状部と、上記薄型袋状部上に設けられたディスプレイ部とを備え、
上記ディスプレイ部は、上記薄型袋状部を形成する表面側部材上に固定され、複数のページを有する冊子部と、一端部が上記冊子部の綴じ代側端部に接合されて上記薄型袋状部内にスライド可能に収納され、他端部が上記開口部から外方へ引き出し可能に配設された引き出し片部とを有し、
上記引き出し片部を上記開口部から外方へ引き出すことにより上記冊子部の複数のページを順次めくるように構成されていることを特徴とするディスプレイ装置。
【請求項２】
上記薄型袋状部は平面長方形状に形成されると共に、上記ディスプレイ部は上記表面側部材よりも小径に形成され、
上記表面側部材の長さ方向における反開口部側端部寄りには幅方向に沿って上記引き出し片部が内部に挿入配置されるスリット部が開設され、上記冊子部は最終ページが上記表面側部材に固定されていることを特徴とする請求項１  記載のディスプレイ装置
【請求項３】
上記冊子部を構成する複数のページは、最初のページから最後のページに至るに従って、次第に上記開口部側へ至るように所定間隔を置いて相互に固定されていることを特徴とする請求項２記載のディスプレイ装置
【請求項４】
上記冊子部を構成する最初のページの基端部は所定幅の立ち上がり片を介して上記引き出し片部の後端部に折曲して延設され、上記立ち上がり片と上記最初のページの基端部との間には幅方向に沿って折れ筋が形成されると共に、上記立ち上がり片と上記引き出し片との間にも幅方向に沿って折れ筋が形成されていることを特徴とする請求項３記載のディスプレイ装置
【請求項５】
上記開口部には、上記引き出し部を指で挟持し得るよう、上記本体の長さ方向中央部に向かって略円弧状の切込み部が設けられていることを特徴とする請求項４に記載のディスプレイ装置。
【請求項６】
上記冊子部の各ページには所定のディスプレイが施されていることを特徴とする請求項５項に記載のディスプレイ装置。
【請求項７】
上記所定のディスプレイは、一連の動作の連続写真若しくは図絵により構成され、ページをめくることで、一連動作が擬似的に再現可能に構成されていることを特徴とする請求項６に記載のディスプレイ装置。
【請求項８】
上記薄型袋状部には、長さ方向における反開口部側端部には、上記ディスプレイ部を被覆しうる表紙が設けられていることを特徴とする請求項１〜７項の何れか１項に記載の記載のディスプレイ装置。
【考案の詳細な説明】
【技術分野】
【０００１】
本考案はディスプレイ装置に係り、特に厚紙等の軽量、簡易な素材によって構成された小冊子形のディスプレイ装置において、冊子を構成するページが自動的めくられることで、製品の連続動作や、形状変化等の宣伝広告に適したディスプレイ装置に関する。
【背景技術】
【０００２】
製品の宣伝広告・紹介用等に用いられる小冊子状のディスプレイ装置は、一般的に複数のページから構成され、写真や文章等の多くの情報を掲載できるという利点を有している。
対象製品が連続的に動作する場合、及び形状が変化する場合、それらは連続写真や連続図絵で表現して掲載されることが多い。
しかしながら、単純に連続写真等で掲載しただけでは、需要者が視覚的に当該製品の動作や形状変化等を把握し難く、それゆえ当該製品に対するインパクトも弱くなり、概して宣伝広告効果が低いものとなる。
【０００３】
冊子状のディスプレイに一連動作の写真や図絵等を描画し、冊子ページをめくる事で擬似的に上記一連動作を再現可能とする広告媒体付き製品については、例えば実登３０５９０９５号公報に記載されたような考案が存在する。
上記考案に係る製品は、図６に示したとおり、粘着部８３により綴じられた短冊状の基材８０の一端面部の表裏両面に広告用の画像印刷部８１、８２を設け、上記短冊状基体８０の端部８４を手指弾くことでページめくりすることで、上記画像印刷部８１，８２に印刷された図絵が順次変化し、擬似的に動画と同様の視覚効果を呈するように構成したものである。
【０００４】
しかしながら、上記製品の場合、指先で弾くことでページめくりされるため、ページをめくる操作が面倒である。
また、冊子全体を手で保持した上、ページを連続的にめくるため、描画された写真や図絵から製品の連続的動作を視認できる一方で、上記以外の掲載事項が読み取れないという問題が生じる。
【考案の開示】
【考案が解決しようとする課題】
【０００５】
そこで本考案は、製品の連続動作を視覚的に再現可能で、且つ簡単な操作で上記再現が可能であると共に、別途説明書き等の文字を記載可能なスペースを確保できる冊子状のディスプレイ装置を提供することを目的とする。
【課題を解決するための手段】
【０００６】
上記目的を達成するために、請求項１に記載の考案にかかるディスプレイ装置においては、一端部に開口部を有する薄型袋状部と、上記薄型袋状部上に設けられたディスプレイ部とを備え、上記ディスプレイ部は、上記薄型袋状部を形成する表面側部材上に固定され、複数のページを有する冊子部と、一端部が上記冊子部の綴じ代側端部に接合されて上記薄型袋状部内にスライド可能に収納され、他端部が上記開口部から外方へ引き出し可能に配設された引き出し片部とを有し、上記引き出し片部を上記開口部から外方へ引き出すことにより上記冊子部の複数のページを順次めくるように構成されていることを特徴とする。
【０００７】
すなわち、冊子部のページを手指で直接めくることなく、引き出し片部を引き出す操作のみでページめくりが可能となる。
【０００８】
また、請求項２に記載の考案にかかるディスプレイ装置においては、上記薄型袋状部は平面長方形状に形成されると共に、上記ディスプレイ部は上記表面側部材よりも小径に形成され、上記表面側部材の長さ方向における反開口部側端部寄りには幅方向に沿って上記引き出し片部が内部に挿入配置されるスリット部が開設され、上記冊子部は最終ページが上記表面側部材に固定されていることを特徴とする。
【０００９】
すなわち、本考案に係るディスプレイ装置にあっては、スリット部より挿入された引出し片部を開口部より引き出すことで、上記冊子部のページめくりが可能となるとともに、最終ページはめくられることなく引き出し動作が停止する。
【００１０】
また、請求項３に記載の考案にかかるディスプレイ装置においては、上記冊子部を構成する複数のページは、最初のページから最後のページに至るに従って、次第に上記開口部側へ至るように所定間隔を置いて相互に固定されていることを特徴とする。
【００１１】
すなわち、所定間隔を置いて各ページが固定されているため、引き出し片部を開口部より引き出した際に、それぞれのページの基端部が順次上記スリット部に引き込まれることで、順次１ページずつめくられる。
【００１２】
また、請求項４に記載の考案にかかるディスプレイ装置においては、上記冊子部を構成する最初のページの基端部は所定幅の立ち上がり片部を介して上記引き出し片部の後端部に折曲して延設され、上記立ち上がり片部と上記最初のページの基端部との間には幅方向に沿って折れ筋が形成されると共に、上記立ち上がり片部と上記引き出し片部との間にも幅方向に沿って折れ筋が形成されていることを特徴とする。
【００１３】
すなわち、上記引き出し片部の引出し操作により、立ち上がり片部が上記表面側部材に対して垂直に立ち上ることで、冊子部の最初のページが持ち上げられ、次いで上記引き出し片部後端部、立ち上がり片部、上記最初のページの基端部がそれぞれ上記折り筋で屈曲しつつ、順次上記スリット内に引き込まれることで、上記最初のページがめくられる。
【００１４】
また、請求項５に記載の考案にかかるディスプレイ装置においては、上記開口部には、上記引き出し片部を指で挟持し得るよう、上記本体の長さ方向中央部に向かって略円弧状の切込み部が設けられていることを特徴とする。
【００１５】
すなわち、上記開口部の円弧状切込みから、上記引き出し部が常に突出した状態となり、指で挟持し易くなる。
【００１６】
また、請求項６に記載の考案にかかるディスプレイ装置においては、上記冊子部の各ページには所定のディスプレイが施されていることを特徴とする
【００１７】
すなわち、上記冊子部の各ページに、様々な広告を表示することができ、宣伝広告的効果が生ずる。
【００１８】
また、請求項７に記載の考案にかかるディスプレイ装置においては、上記所定のディスプレイは、一連の動作の連続写真若しくは図絵により構成され、ページをめくることで一連動作が擬似的に再現可能に構成されていることを特徴とする。
【００１９】
すなわち、製品の動作や形状変化等を視覚的にわかり易く表現することができる。
【００２０】
また、請求項８に記載の考案にかかるディスプレイ装置においては、上記薄型袋状部には、長さ方向における反開口部側端部には、上記ディスプレイ部を被覆しうる表紙が設けられていることを特徴とする。
【００２１】
すなわち、表紙に任意文字、図絵を印字することができると共に、冊子部の破損から保護する。
【考案の効果】
【００２２】
請求項１の考案にあっては、一端部に開口部を有する薄型袋状部と、上記薄型袋状部上に設けられたディスプレイ部とを備え、上記ディスプレイ部は、上記薄型袋状部を形成する表面側部材上に固定され、複数のページを有する冊子部と、一端部が上記冊子部の綴じ代側端部に接合されて上記薄型袋状部内にスライド可能に収納され、他端部が上記開口部から外方へ引き出し可能に配設された引き出し片部とを有し、上記引き出し片部を上記開口部から外方へ引き出すことにより上記冊子部の複数のページを順次めくるように構成されている。    
上記構成により、各ページを手指でめくることなく、自動的にページをめくることができる。
したがって、その斬新な動作により、インパクトが大きく宣伝広告効果の高いディスプレイ装置を提供できる。
【００２３】
請求項２の考案にあっては、上記薄型袋状部は平面長方形状に形成されると共に、上記ディスプレイ部は上記表面側部材よりも小径に形成され、上記表面側部材の長さ方向における反開口部側端部寄りには幅方向に沿って上記引き出し片部が内部に挿入配置されるスリット部が開設され、上記冊子部は最終ページが上記表面側部材に固定されている。
上記構成により、上記スリット部より挿入された引出し片部を開口部より引き出すことで、上記冊子部のページめくりが可能となり、また最終ページが固定されているため、上記冊子部が安定してスムーズにページめくりされる。
また、上記冊子部が、上記表面側部材よりも小径に形成されているため、上記表面部材上の上記ディスプレイ部が配設されている部分以外には、別途の広告や説明等を印字することも可能である。
したがって、より見易く、且つ宣伝広告効果の高いディスプレイ装置を提供できる。
【００２４】
請求項３の考案にあっては、上記冊子部を構成する複数のページは、最初のページから最後のページに至るに従って、次第に上記開口部側へ至るように所定間隔を置いて相互に固定されている。
上記構成により上記引き出し片部を開口部より引き出した際に、それぞれのページの基端部が上記所定感覚に応じ順次上記スリット部に引き込まれることで、ページ飛びが無く、確実に１ページ毎にページがめくられる。
したがって、より動作が美しく、且つ見易く、宣伝広告効果の高いディスプレイ装置を提供することが可能である。
【００２５】
請求項４の考案にあっては、上記冊子部を構成する最初のページの基端部は所定幅の立ち上がり片部を介して上記引き出し片部の後端部に折曲して延設され、上記立ち上がり片部と上記最初のページの基端部との間には幅方向に沿って折れ筋が形成されると共に、上記立ち上がり片部と上記引き出し片部との間にも幅方向に沿って折れ筋が形成されている。
上記構成により、ページのめくり初めに要する力が少なくて済み、上記引き出し片部を軽く外方に引き出すだけで、スムーズにページめくりが開始される。    
したがって、より動作が美しく、且つ見易く、宣伝広告効果の高いディスプレイ装置を提供することが可能である。
【００２６】
請求項５の考案にあっては、上記開口部には、上記引き出し片部を指で挟持し得るよう、上記本体の長さ方向中央部に向かって略円弧状の切込み部が設けられている。
上記構成により、上記開口部の円弧状切込みから上記引き出し部が常に突出しているため、上記引き出し部を指で挟持し易くページめくり操作が容易となる。
したがって、より取り扱いが容易で、宣伝効果の高いディスプレイ装置を提供できる。
【００２７】
請求項６の考案にあっては、上記冊子部の各ページには所定のディスプレイが施されていることから、より宣伝効果の高いディスプレイを提供できる。
【００２８】
請求項７の考案にあっては、上記所定のディスプレイは、一連の動作の連続写真若しくは図絵により構成され、ページをめくることで一連動作が擬似的に再現可能に構成されていることから、製品の機械的動作や形状・色彩変化等を擬似的に再現可能となり、視覚的インパクトがあり、宣伝広告効果が大きいディスプレイ装置を提供できる。
【００２９】
請求項８の考案にあっては、上記薄型袋状部には、長さ方向における反開口部側端部には、上記ディスプレイ部を被覆しうる表紙が設けられている。
したがって、ディスプレイ部を保護すると共に、表紙をめくりディスプレイ部が現れた場合のインパクトが大きく、宣伝広告効果が大きいディスプレイ装置を提供できる。
【考案を実施するための最良の形態】
【００３０】
以下図面を用いて、本考案の実施の形態について説明する。
本考案に係るディスプレイ装置１０は、図１〜図３に示すとおり、一端部に開口部１１を有する薄型袋状部１２と、上記薄型袋状部１２上に設けられたディスプレイ部１３とを備え、上記ディスプレイ部１３は、上記薄型袋状部１２を形成する表面側部材１４上に固定され、複数のページ１５ａ〜１５ｆを有する冊子部１６と、一端部が上記冊子部の綴じ代側端部１７ａに接合されて上記薄型袋状部１２内にスライド可能に収納され、他端部が上記開口部１１から外方へ引き出し可能に配設された引き出し片部１８とを有している。
【００３１】
上記薄型袋状部１２は平面長方形状に形成されると共に、上記ディスプレイ部１３は上記表面側部材１４よりも小径に形成され、上記表面側部材１４の長さ方向における反開口部側端部寄りには幅方向に沿って上記引き出し片部１８が内部に挿入配置されるスリット部１９が開設され、上記冊子部１６は最終ページ１５ｆが上記表面側部材１４に固定されている
【００３２】
図２に示すように、上記冊子部１６を構成する複数のページ１５ａ〜１５ｆは、最初のページ１５ａから最後のページ１５ｆに至るに従って、次第に上記開口部１１側へ至るように所定間隔を置いて接着部２７ａ，２７ｂ，２７ｃ，２７ｄで相互に固定されている。
【００３３】
上記冊子部１６を構成する最初のページ１５ａの基端部２０は所定幅の立ち上がり片２１を介して上記引き出し片部１８の後端部１７ｂに折曲して延設され、上記立ち上がり片２１と上記最初のページ１５ａの基端部２０との間には幅方向に沿って折れ筋２２が形成されると共に、上記立ち上がり片２１と上記引き出し片部１８との間にも幅方向に沿って折れ筋２３が形成されている。
【００３４】
上記開口部１１には、上記引き出し部１８を指で挟持し得るよう、上記本体の長さ方向中央部に向かって略円弧状の切込み部２４が設けられている。
【００３５】
上記冊子部１６の各ページ１５ａ〜１５ｆには一連の動作の連続写真若しくは図絵により構成された所定のディスプレイが施されている
【００３６】
上記薄型袋状部１２には、長さ方向における反開口部側端部２５には、上記ディスプレイ部１３を被覆しうる表紙２６が設けられている。
【実施例】
【００３７】
上記ディスプレイ１０において、上記冊子部１６の上記複数ページ部１５ａ〜１５ｆが上記引き出し部１８を引き出す操作により自動的にめくられる動作について詳述する。
図４〜６に示した通り、上記開口部１１の上記略円弧状の切込み２４には、上記スリット部１９から挿入された上記冊子部１６の上記引き出し片部１８の先端部が突出している。
【００３８】
図４に示すように、上記引き出し片部１８の先端を指で挟持し、上記薄型袋状部１２の外方に向かって引き出すことにより、上記引き出し片部１８とそれに接合している上記冊子部１６の綴じ代側端部１７ａが上記スリット部１９側に引き込まれる。
立ち上がり片部２１は、上記綴じ代側端部１７ａが上記スリット部１９側に引き込まれることで、折り筋２３を支点として、上記表面側部材１４上に対して一旦垂直に立ち上がり、その際あわせて最初のページ１５ａが持ち上げられる。
【００３９】
上記の状態から、更に上記引き出し片部１８を引き出すと、図５に示すとおり、上記立ち上がり片部２１が上記綴じ代即端部１７ａ上記スリット部１９側に引き込まれることで、折り筋２２を介して、最初のページがめくりあげられる。
【００４０】
更に引き続き上記引き出し片部１８を引き出し続けると、図６に示すとおり２ページ目１５ｂの基端部が上記スリット部１９に向かって引かれることで、２ページ目１５ｂの接着部２７ａが、上記立ち上がり片部２１と同様の作用により、一旦上記表面側部材１４上に対して垂直に立ち上がり、その後スリット部１９側に引き込まれることで２ページ目１５ｂがめくりあげられる。
【００４１】
以後、上記引き出し片部１８を引き出し続けることで、各ページ１５ｃ〜１５ｅも２ページ目１５ｂと同様の動作により順次ページがめくられる。
【００４２】
なお、最終ページ１５ｆは上記上記表面側部材１４上に固定されているため、ページめくりが停止すると共に、上記引き出し片部１８の引き出しも停止する。
【００４３】
各ページ１５ａ〜１５ｆには一連の動作の連続写真若しくは図絵により構成された所定のディスプレイが施されているため、ページが送られることで、一連の動作が視覚的に再現される。
【００４４】
上記動作による視覚的なインパクトは大きく、製品の動作や形状変化等を視覚的に捉えることが可能であるため、需要者の製品に対する印象もより強いものとなる。従って従来のパンフレット・カタログ等による広告に比して遥かに大きな宣伝広告効果を得ることが可能となる。
【産業上の利用可能性】
【００４５】
本製品は、製品カタログ、パンプレット等、宣伝広告用ディスプレイ装置として用いることが可能である。
【図面の簡単な説明】
【００４６】
【図１】本考案に係るディスプレイ装置のディスプレイ装置の斜視図
【図２】上記ディスプレイ装置の本体及び冊子部の分解図
【図３】図１のＡ−Ａ断面図
【図４】引き出し部の引出し操作時のディスプレイ装置側面方向断面図1
【図５】引き出し部の引出し操作時のディスプレイ装置側面方向断面図2
【図６】引き出し部の引出し操作時のディスプレイ装置側面方向断面図3
【図７】従来の広告媒体付き製品の斜視図
【符号の説明】
【００４７】
１０    ディスプレイ装置
１１    開口部
１２    薄型袋状部
１３    ディスプレイ部
１４    表面側部材
１５ａ  最初のページ
１５ｂ  各ページ
１５ｃ  各ページ
１５ｄ  各ページ
１５ｅ  各ページ
１５ｆ  各ページ
１６    冊子部
１７ａ  冊子部の綴じ代側端部
１７ｂ  引き出し片部１８の後端部
１８    引き出し片部
１９    スリット部
２０    最初のページ１９ａの基端部
２１    立ち上がり片
２２    折れ筋
２３    折れ筋
２４    円弧状切込み部
２５    薄型袋状部の反開口部側端部
２６    表紙
２７ａ  接着部
２７ｂ  接着部
２７ｃ  接着部
２７ｄ  接着部
【図１】
0003132570.tif 000003
【図２】
0003132570.tif 000004
【図３】
0003132570.tif 000005
【図４】
0003132570.tif 000006
【図５】
0003132570.tif 000007
【図６】
0003132570.tif 000008
【図７】
0003132570.tif 000009